(57)【特許請求の範囲】
【請求項１】
乗員検知用の面状アンテナ（１）をシートパッド（２）の座部面に配置し、面状アンテナ（１）と共に、シートパッド（２）をトリムカバー（３）で被包することから、乗員検知用の面状アンテナ（１）をシートの座部内に備える乗員検知用アンテナ付きシートにおいて、
シート座面の幅方向に亘る横長なアンテナ部（１０ａ，１０ｂ）を複数平行に並べたアンテナ本体（１０）を一枚の基布（１１）に接合し、シート座面の幅方向に亘るスリット（１１ａ，１１ｂ）をアンテナ本体（１０）の各アンテナ部（１０ａ，１０ｂ）の間で基布（１１）の両端縁まで至らない面内に設けた面状アンテナ（１ａ）を備え、
上記面状アンテナ（１ａ）のハーネス（１３）をシートパッド（２）の座部面より段下げ形成した収容空間（２０ａ）に引き込むと共に、該ハーネス（１３）のカプラー（１４）を該収容空間（２０ａ）の内底面に設けた通し穴（２０ｅ）よりシートパッド（２）の外側に引き出し、該ハーネス（１３）の収容空間（２０ａ）をワディング材（３３ａ）で覆ってシートパッド（２）の座部面と面一に保形したことを特徴とする乗員検知用アンテナ付きシート。
【発明の詳細な説明】
【０００１】
【発明の属する技術分野】
本発明は、乗員検知用の面状アンテナをシートパッドの座部面に配置し、面状アンテナと共に、シートパッドをトリムカバーで被包することから、乗員検知用の面状アンテナをシートの座部内に備える乗員検知用アンテナ付きシートに関するものである。
【０００２】
【従来の技術】
エアーバックモジュールを内蔵する車輌用シートにおいては、人間が着座した時に発生する静電容量を検知することから、乗員の有無並びに乗員が大人か，子供か等を判別し、エアーバックの展開，不展開を制御するシステムの乗員検知用アンテナを装備することが企画されている。
【０００３】
その乗員検知用アンテナ付きシートは、図８で示すように面状体のアンテナ本体を基布の面内に接合した面状アンテナＡをシートバックＢの座部面に備えると共に、加圧センサーＰをシートクッションＳの座部面に備え、これらによる回路構成から、人間が着座した時に発生する静電容量を検知することにより所定の電気的信号を得られるよう設計されている。
【０００４】
その乗員検知用アンテナ付きシートにおいては、面状アンテナＡ，加圧センサーＰと、各センサーの付属部品を座部面に備え付けることによる違和感を座者に与えるのを防ぐ必要がある。
【０００５】
【発明が解決しようとする課題】
本発明は、面状アンテナ含む付属部品を座部面に備え付けることによる違和感を座者に与えるのを防げる乗員検知用アンテナ付きシートを提供することを目的とする。
【０００６】
【課題を解決するための手段】
本発明に係る乗員検知用アンテナ付きシートにおいては、乗員検知用の面状アンテナをシートパッドの座部面に配置し、面状アンテナと共に、シートパッドをトリムカバーで被包することから、乗員検知用の面状アンテナをシートの座部内に備えるもので、シート座面の幅方向に亘る横長なアンテナ部を複数平行に並べたアンテナ本体を一枚の基布に接合し、シート座面の幅方向に亘るスリットをアンテナ本体の各アンテナ部の間で基布の両端縁まで至らない面内に設けた面状アンテナを備え、
上記面状アンテナのハーネスをシートパッドの座部面より段下げ形成した収容空間に引き込むと共に、該ハーネスのカプラーを該収容空間の内底面に設けた通し穴よりシートパッドの外側に引き出し、該ハーネスの収容空間をワディング材で覆ってシートパッドの座部面と面一に保形することにより構成されている。
【０００７】
【発明の実施の形態】
図示実施の形態は、図８で示すものと同様に、人間が着座した時に発生する静電容量を感知し、乗員の有無、乗員が大人か，子供か等を判別することから、エアーバックの展開，不展開を制御するシステム機構を装備する乗員検知用アンテナ付きシートを組み立てるに適用されている。また、図１で示すようなシートバックＢにおいて面状アンテナ１をバックパッド２の座部面に備え付けるに適用されている。
【０００８】
面状アンテナ１は、図２で示すように静電容量感知用のアンテナ本体１０を基布１１の面内に接合することにより形成されている。また、座面下部用１ａ，座面上部用１ｂ並びに車体側部寄りの土手部用１ｃに分けて個別に形成されている。
【０００９】
その面状アンテナ１のうち、座面下部並びに座面上部の面状アンテナ１ａ，１ｂとしてはシートの座部面幅方向に亘る横長で狭幅なアンテナ部１０ａ，１０ｂを複数平行に並べ、上下方向に亘るターミナル１２をアンテナ部１０ａ，１０ｂの各端部寄りにカシメ止めたアンテナ本体１０が備え付けられている。
【００１０】
土手面部の面状アンテナ１ｃとしては、一枚の縦長なアンテナ本体１０を基布１１の面内に接合したものが備え付けられている。各アンテナの付属部品としては、アンテナ本体１０のターミナル１２より導出するハーネス１３，カプラー１４が備え付けられている。
【００１１】
座面下部の面状アンテナ１ａにおいては、違和感を座者に与えるのを防ぐことから、図３でも示すようなスリット１１ａ、１１ｂが基布１１の面内に設けられている。そのスリット１１ａ、１１ｂは、バックパッド２の撓み変形に伴って基布１１の面積を広げられるよう、各アンテナ部１０ａ，１０ｂの間に位置する基布１１の両端縁に至らない面内でシートの座部面幅方向に亘って設けられている。
【００１２】
上述した構成と同様に、座面上部の面状アンテナ１ｂでもスリットを設けることできる。但し、その面状アンテナ１ｂは上下幅が小さくて足り、また、座者と接触するのが少なくて荷重の掛からない部位に配置されるものであるから、スリット１１ａ，１１ｂを基布１１に設けなくても違和感を座者に与えることがない。
【００１３】
基布１１としては、座面上部並びに土手面部の面状アンテナ１ｂ，１ｃを含めて不織布を用いるとよい。この不織布によると、各面状アンテナ１ａ〜１ｃが位置ズレしないようシートパッド２に強固に接着固定できる。
【００１４】
この面状アンテナ１は、図４で示す（座面下部の面状アンテナで示す。）ようにアンテナ本体１０を前面側に位置させてバックパッド２の座部面にあてがい配置されている。また、後述するようにターミナル１２よりハーネス１３をバックパッド２の座部面に設けた収容空間の内部に組み付けることからシートバックＢの座部面に装備されている。
【００１５】
その面状アンテナ１は、トリムカバー３を形成するウレタンスラブ等のワディング材の層間に備えるべく、図５で示すように各面状アンテナ１ａ〜１ｃの面積に相当するワディング材３０ａ〜３０ｃがトリムカバー３の表皮材３１と積層されるワディング材の厚み内から別部材に分けて備えられている。
【００１６】
ワディング材３０ａ〜３０ｃは、各面状アンテナ１ａ〜１ｃを基布１１で接着固定することから基布１１に相応する面積に形成されている。このワディング材３０ａ〜３０ｃは、トリムカバー３の表皮材３１と積層される通常厚み１２ｍｍ程度のワディング材から相当部分を略均等厚みに二分するよう形成できる。好ましくは、トリムカバー３の表皮材３１と積層される側の相当部分３２の厚みよりも厚く形成するとよい。
【００１７】
図示実施の形態では、面状アンテナ１の厚み分を除き、表皮材３１との積層側は３ｍｍ厚み程度で面状アンテナ１の座部表面までの距離を近付けられるよう形成されている。これに対し、面状アンテナ１を貼り合わせるワディング材３０ａ〜３０ｃは形態を保持可能な８ｍｍ厚み程度に形成されている。
【００１８】
その厚み設定は、上述した面状アンテナ１を備える面積相当部分のもので、一般面のワディング材は通常通り１２ｍｍ厚み程度とし、各ワディング材３０ａ〜３０ｃに対応する部分は一般面の面積内を凹状に窪ませ成形することにより薄いワディング層３２として形成すればよい。
【００１９】
面状アンテナ１を装備するバックパッド２には、図６，図７で示すように付属部品の収容空間２０ａ〜２０ｃが座部面より段下げさせて設けられている。この収容空間２０ａ〜２０ｃは、面状アンテナ１のターミナル１２よりハーネス１３を組付け可能な形状に合わせて形成すればよい。
【００２０】
その収容空間２０ａ〜２０ｃは、座面上部，座面下部の面状アンテナ１ａ，１ｂに対応し、縦長な凹状のものを土手部との臨界部寄りの座部面に設けるようにできる。また、土手部側の面状アンテナ１ｃに対応し、方形のフラットなものをトリムカバー３の吊込み溝２ｂに亘って設けるようにできる。この収容空間２０ａ〜２０ｃには、ハーネス１３を含むカプラー１４をバックパッド２の背面側に引き出す通し穴２０ｅが内底面に設けられている。
【００２１】
その収容空間２０ａ〜２０ｃを覆うべく、図５で示すようにウレタンスラブ等で形成されたワディング材３３ａ〜３３ｃが備えられている。このワディング材３３ａ〜３３ｃは、収容空間２０ａ〜２０ｃを覆ってバックパッド２の座部面に取り付けることから、空間部位をバックパッド２の座部面と面一に保形するよう形成されている。
【００２２】
そのワディング材３３ａ〜３３ｃとしても、上述したワディング材３０ａ〜３０ｃと同様に、トリムカバー３の表皮材３１と積層されるワディング材の厚み内から付属部品の収容空間２０ａ〜２０ｃを覆う別部材に分けて形成することができる。
【００２３】
上述した各部から、面状アンテナ１をバックパッド２の座部面に備え付けるには、アンテナ本体１０を前面側に位置させてワディング材３０ａ〜３０ｃでバックパッド２の座部面に接着固定できる。ワディング材３３ａ〜３３ｃは、収容空間２０ａ〜２０ｃを覆ってバックパッド２の座部面に貼り合わせできる。これにより、面状アンテナ１はバックパッド２の座部面で高い精度に位置合わせさせて簡単に備え付けられる。
【００２４】
面状アンテナ１のハーネス１３は、図４で示すようにターミナル１２から曲げ込んでバックパッド２の座部面と土手部面との臨界部に設けた収容空間２０ａに引き込まれている。カプラー１４は、外部配線と接続するよう、収容空間２０ａの内底面に設けた通し穴２０ｅよりバックパッド２の背面側に引き出されている。これにより、面状アンテナ１のターミナル１２を含む付属部品１３，１４による違和感を座者に与えるのを防げる。
【００２５】
ターミナル１２からハーネス１３，カプラー１４を組み付けた後、アンテナ本体１０の曲込み部分を挾み込むと共に、収容空間２０ａを覆うワディング材３３ａをワディング材３０ａと隣接させてバックパッド２の座部面に貼り合わせることから、該空間部位をバックパッド２の座部面と面一に保形することができる。
【００２６】
トリムカバー３をバックパッド２に被せると、トリムカバー３が薄いワディング層３２を含む一般面のワディング材を表皮材３１の内側に一体に積層形成したものでなるから、面状アンテナ１を両者の層間に介在させて薄いワディング層３２とワディング材３０ａとが組み合うよう被せられる。
【００２７】
それと同様に、ワディング材３３ａもトリムカバー２の薄いワディング層と組み合わせる。これにより、トリムカバー３のワディング材としては一般面を含む全体を均等厚みに保つことができる。
【００２８】
このように構成する乗員検知用アンテナ付きシートでは、座者の荷重が掛かってバックバッド２が撓み変形すると、座者の荷重の大きく掛かる部位でバックパッド２の円弧状に膨出する座面に配置された座面下部の面状アンテナ１ａでも、基布１１の面積がスリット１１ａで広がって基布１１の突張りが生じないため、違和感を座者に与えるのを防げる。
【００２９】
面状アンテナ１ａ，１ｂは、アンテナ本体１０がシートの座部面幅方向に亘る幅の狭いアンテナ部１０ａ，１０ｂ…を複数平行に並べて基布１１の面内に接合することから形成されているため、アンテナ本体１０自体による違和感を座者に与えるのを防げる。
【００３０】
面状アンテナ１ａ〜１ｃの付属部品は、ハーネス１３をバックパッド２の座部面より段下げした収容空間２０ａ〜２０ｃに引き込むと共に、カプラー１４を収容空間２０ａ〜２０ｃの内底面に設けた通し穴２０ｅよりバックパッド２の背面側に引き出し、収容空間２０ａ〜２０ｃをワディング材３３ａ〜３３ｃで覆ってバックパッド２の座部面と面一に保形することから、付属部品１３，１４によっても違和感を座者に与えるのを防げる。
【００３１】
その乗員検知用アンテナ付きシートでは、上述したように面状アンテナ１を別部材のワディング材３０ａでバックパッド２に高精度に位置決め装備できると共に、ワディング材を二層３０ａ，３２に分けた層間に介在させて面状アンテナ１の取付位置を座部表面に近付けることから、感度のよい面状アンテナとして装備できる。
【００３２】
そのワディング材３０ａ，３２としては、表皮材３１との積層側３２を薄く、バックパッド２に取り付ける別部材のワディング材３０ａを厚く形成したものを組み合わせることにより、面状アンテナ１の取付位置を座部表面により近付けられる。また、座面部は一般面を含む全体を均等厚みに保つワディング材によるトリムカバー３で形成されるから当該アンテナを組み付けないものと同等の着座感が得られる。
【００３３】
【発明の効果】
以上の如く、本発明に係る乗員検知用アンテナ付きシート依れば、面状アンテナは勿論、付属部品を座部面に備え付けることによっても、違和感を座者に与えるのを防げて良好なクツション性を保てる。
【図面の簡単な説明】
【図１】  本発明に係る乗員検知用アンテナ付きシートのバックパッドを示す斜視図である。
【図２】  図１の乗員検知用アンテナ付きシートを構成する面状アンテナを示す斜視図である。
【図３】  図２の面状アンテナの一つを示す拡大平面図である。
【図４】  本発明に係る乗員検知用アンテナ付きシートのシートバックを部分的に拡大させて示す断面図である。
【図５】  図１の乗員検知用アンテナ付きシートを構成するワディング材を示す斜視図である。
【図６】  図１の乗員検知用アンテナ付きシートを構成するバックパッドを右側から示す斜視図である。
【図７】  図１の乗員検知用アンテナ付きシートを構成するバックパッドを左側から示す斜視図である。
【図８】  図１の乗員検知用アンテナ付きシートの基本形態をシート全体で示す説明図である。
【符号の説明】
１（１ａ〜１ｃ）      面状アンテナ
２                    シートパッド
３                    トリムカバー
１０ アンテナ本体
１１ａ，１１ｂ スリット
１３                  ハーネス
１４                  カプラー
２０ａ〜２０ｃ        付属部品の収容空間
２０ｄ                カプラーの通し穴
３３ａ〜３３ｃ ワディング材
【図１】
0003694760.tif 000002
【図２】
0003694760.tif 000003
【図３】
0003694760.tif 000004
【図４】
0003694760.tif 000005
【図５】
0003694760.tif 000006
【図６】
0003694760.tif 000007
【図７】
0003694760.tif 000008
【図８】
0003694760.tif 000009